(57)【要約】  本発明はフランチャイズの役割分担参与によるオンライン販売及び統合管理方法に係り、さらに詳しくは、ショッピングモールを管理する本社において各地域別の加盟店を開設し、各加盟店の管理下にある購買会員を顧客として登録させたり購買会員の要請により管理可能な担当加盟店を指定することにより、顧客がオンライン上で商品を注文すると、各地域の加盟店に自動的に注文が受け付けられて各加盟店が迅速に対応して顧客により様々で且つ便利なサービスを提供し、顧客別に購買等級による割引率を適用して価格の商品を提供することのできるフランチャイズが役割を分担して参与するオンライン販売及び統合管理方法に関する。本発明によれば、各加盟店が各地域別に担当顧客を管理してその費用決済とサービスの責任を負うことにより本社から提供するショッピングモールサービスの単なる管理者ではなく、事業参与の主体として経営収益を上げることができるという効果があり、各地域の加盟店及び本社が商品と顧客情報を共有することにより最小の空間管理だけで様々な商品とサービスを顧客に提供することができ、顧客に注文の利便性と選択の幅を種々に提供することにより顧客中心のサービスを実現することができるという効果がある。
2009540454.tif 000002
【特許請求の範囲】
【請求項１】
中央管理サーバが加盟店端末または顧客端末から新規顧客に関する所定の情報を入力されて会員登録要請を受け付けるステップ１００と、
前記中央管理サーバが、前記顧客の購買等級を決定して会員登録をした後、前記顧客に対する固有コードを付与するステップ２００と、
前記中央管理サーバが、顧客端末の接続要請に応じてユーザー認証を行った後、加盟店本社及び加入された全国の加盟店が保有している商品情報を前記顧客端末に提供するステップ３００と、
前記顧客端末から商品に対する注文要請があれば、前記中央管理サーバが有無線通信網を用いて前記商品注文内訳を担当加盟店に通知するステップ４００と、
前記加盟店端末から物品配送要請があれば、前記中央管理サーバが要請された物品に対する配送命令を発令するステップ５００と、
を含むことを特徴とするフランチャイズの役割分担参与によるオンライン販売及び統合管理方法。
【請求項２】
前記購買等級は、顧客の信用度、取引量、単一品目に対する集積度などを反映して一定の周期ごとに更新されることを特徴とする請求項１に記載の方法。
【請求項３】
前記商品情報は商品の価格を含み、前記商品の価格は各顧客別の購買等級による割引率により顧客ごとに異なるように提供されることを特徴とする請求項２に記載の方法。
【請求項４】
顧客の費用決済が現金決済または定期決済である場合、前記中央管理サーバが、前記顧客の担当加盟店による精算金額の振込状況を確認し、その確認結果を前記加盟店端末に通知するステップ６００、をさらに含むことを特徴とする請求項３に記載の方法。
【請求項５】
顧客の費用決済がカード決済である場合、前記中央管理サーバが、カード会社から顧客によるカード決済内訳を通報され、前記カード決済内訳とこれによる精算内訳を前記加盟店端末に通知するステップ７００、をさらに含むことを特徴とする請求項３に記載の方法。
【請求項６】
前記ステップ２００は、
前記中央管理サーバが、会員登録要請を受けた顧客を検証して欠格事由がなければ会員として登録し、前記入力された顧客に関する所定の情報を反映して購買等級を決定するステップ２１０と、
前記中央管理サーバが、前記会員登録された顧客に対する担当加盟店を指定した後、前記顧客に固有コードを付与し、前記顧客に関する情報と前記固有コード及び前記顧客の担当加盟店情報をデータベースに格納するステップ２２０と、
前記中央管理サーバが、前記顧客に付与された固有コードを前記顧客の担当加盟店端末に通知するステップ２３０と、
を含むことを特徴とする請求項１から５のいずれか１項に記載の方法。
【請求項７】
前記ステップ４００は、
前記中央管理サーバが商品注文を入力可能な顧客インタフェース画面を前記顧客端末に提供するステップ４１０と、
前記顧客端末から商品に対する注文要請があれば、前記中央管理サーバが有無線通信網を用いて前記商品についての注文要請内訳を担当加盟店に通知するステップ４２０と、を含むことを特徴とする請求項１から５のいずれか１項に記載の方法。
【請求項８】
前記顧客インタフェース画面は、顧客端末から注文すべき商品と購買周期を入力されれば、前記商品に対する注文要請が前記購買周期ごとに自動的に行われるメニュー及び過去の注文内訳に対する日付別／品目別の確認機能、決済内訳確認機能のメニューを含むことを特徴とする請求項７に記載の方法。
【請求項９】
前記有無線通信の方式としては、電子メール、携帯電話文字メッセージ、ＣＴＩ（Computer Telephony Integration）を用いた自動電話などの方式が用いられることを特徴とする請求項７に記載の方法。
【請求項１０】
前記ステップ１００及びステップ５００において、前記加盟店端末が前記中央管理サーバに接続を要請すれば、前記中央管理サーバがユーザー認証を行った後、当該加盟店の管理下にある各顧客に関する情報、各顧客の商品注文状況、本社の商品在庫状況及び全国の各加盟店の商品在庫状況などの情報を提供するメニューを含み、注文された商品のうち本社から顧客に直接的に配送されるべき商品と当該加盟店に配送されるべき商品とを区別して物品配送を選択可能なメニューを提供するフランチャイズ管理者画面を前記加盟店端末に提供することを特徴とする請求項１から５のいずれか１項に記載の方法。
【請求項１１】
前記ステップ５００において、前記中央管理サーバが、前記加盟店端末から前記フランチャイズ管理者画面を介して物品配送要請を入力されれば、前記物品配送要請に応じて顧客に直接的に配送する物品と担当加盟店に配送する物品を区別して要請された物品に対する配送命令を発令することを特徴とする請求項１０に記載の方法。
【請求項１２】
前記フランチャイズ管理者画面は、当該加盟店の入庫品目、入庫数量、出庫品目、出庫数量、保有品目をチェックして管理することができ、保有在庫の不足による未処理業務の現況を提供するメニューをさらに含むことを特徴とする請求項１０に記載の方法。
【請求項１３】
本社から顧客または加盟店に配送されるべき商品のうち本社に在庫がない場合には、前記中央管理サーバが全国の加盟店のうち当該商品を保有している加盟店を対象として物品配送を要請する命令を発令することを特徴とする請求項１１に記載の方法。
【請求項１４】
（ａ）中央管理サーバが加盟店端末から新規顧客に関する所定の情報を入力されて会員登録要請を受け付けるステップと、
（ｂ）前記中央管理サーバが、前記会員登録要請した加盟店を前記顧客の担当加盟店として指定し、所定の購買等級にて前記顧客を会員登録し、前記顧客に対する固有コードを付与するステップと、
（ｃ）前記中央管理サーバが、顧客端末の接続要請に応じてユーザー認証を行った後、加盟店本社及び加入された全国の加盟店が保有している商品情報を前記顧客端末に提供するステップと、
（ｄ）前記顧客端末から商品に対する注文要請があれば、前記中央管理サーバが前記商品注文内訳を前記中央管理サーバの担当加盟店管理者領域にリアルタイムにて登録するステップと、
（ｅ）加盟店端末が前記中央管理サーバに接続してフランチャイズ管理者画面を介して前記注文内訳を確認し配送を要請するステップと、
（ｆ）中央管理サーバが前記配送要請された物品に対する配送命令を発令するステップと、
（ｇ）顧客端末が注文した商品代金を決済するステップと、を含むが、
前記ステップ（ｅ）での配送要請は、担当加盟店に注文商品の在庫がある場合には加盟店に対して配送命令を発令し、担当加盟店に前記注文商品の在庫がない場合、又は加盟店で特定の商品の在庫を確保すべき場合には本社に対して配送命令を発令することであり、前記ステップ（ｆ）の配送では、顧客に対する配送と加盟店に対する配送とが区別され、前記ステップ（ｇ）の決済は、顧客が自分の担当加盟店に費用決済することであり、前記ステップ（ｅ）で加盟店が本社に配送要請した商品代金の本社に対する費用決済は、当該加盟店が責任を負うことを特徴とするフランチャイズの役割分担参与によるオンライン販売及び統合管理方法。
【請求項１５】
前記購買等級は、顧客の信用度、取引量、単一品目に対する集積度などを反映して一定の周期ごとに更新されることを特徴とする請求項１４に記載の方法。
【請求項１６】
前記商品情報は商品の価格を含み、前記商品の価格は各顧客別の購買等級による割引率により顧客ごとに異なるように提供されることを特徴とする請求項１５に記載の方法。
【請求項１７】
顧客の前記費用決済が現金決済または定期決済である場合、前記中央管理サーバが前記顧客の担当加盟店による精算金額の振込状況を確認し、その確認結果を前記加盟店端末に通知するステップをさらに含むことを特徴とする請求項１６に記載の方法。
【請求項１８】
顧客の前記費用決済がカード決済である場合、前記中央管理サーバがカード会社から顧客によるカード決済内訳を通報され、前記カード決済内訳とこれによる精算内訳を前記加盟店端末に通知するステップをさらに含むことを特徴とする請求項１６に記載の方法。
【請求項１９】
前記ステップ（ｂ）は、
（ｂ−１）前記中央管理サーバが、会員登録要請を受けた顧客を検証して欠格事由がなければ会員として登録し、前記入力された顧客に関する所定の情報を反映して購買等級を決定するステップと、
（ｂ−２）前記中央管理サーバが、前記会員登録された顧客に対する担当加盟店を指定した後、前記顧客に固有コードを付与し、前記顧客に関する情報と前記固有コード及び前記顧客の担当加盟店情報をデータベースに格納するステップと、
（ｂ−３）前記中央管理サーバが前記顧客に付与された固有コードを前記顧客の担当加盟店端末に通知するステップと、
を含むことを特徴とする請求項１４から１８のいずれか１項に記載の方法。
【請求項２０】
前記ステップ（ｄ）は、
（ｄ−１）前記中央管理サーバが商品注文を入力可能な顧客インタフェース画面を前記顧客端末に提供するステップと、
（ｄ−２）前記顧客端末から商品に対する注文要請があれば、前記中央管理サーバが前記商品に対する注文要請内訳を前記中央管理サーバの担当加盟店管理領域にリアルタイムにて登録するステップと、
を含むことを特徴とする請求項１４から１８のいずれか１項に記載の方法。
【請求項２１】
前記顧客インタフェース画面は、顧客端末から注文すべき商品と購買周期を入力されれば、前記商品に対する注文要請が前記購買周期ごとに自動的に行われるメニュー及び過去の注文内訳に対する日付別／品目別の確認機能、決済内訳確認機能のメニューを含むことを特徴とする請求項２０に記載の方法。
【請求項２２】
前記顧客インタフェース画面は、外部入力手段により製品が選択されれば、前記製品に対する注文日付を記入可能なメニューを提供することを特徴とする請求項２０に記載の方法。
【請求項２３】
前記顧客インタフェース画面において、外部入力手段により予約注文ボタンが活性化されれば、日付別に必要な商品をチェックして注文可能なカレンダータイプの入力メニューがディスプレイされることを特徴とする請求項２０に記載の方法。
【請求項２４】
前記顧客インタフェース画面は、当該商品を販売する加盟店ごとに別途に設定された割引率または割増率に応じて自動的に変換された商品の価格をディスプレイすることを特徴とする請求項２０に記載の方法。
【請求項２５】
前記顧客インタフェース画面は、購買しようとする各種の商品のオプション事項を１枚の画面上において指定した後、注文のための選択が行えるメニューを提供することを特徴とする請求項２０に記載の方法。
【請求項２６】
前記顧客インタフェース画面は、注文のために選択された商品価格の合算金額を前記顧客インタフェース画面内の特定の領域にリアルタイムにてディスプレイすることを特徴とする請求項２０に記載の方法。
【請求項２７】
前記ステップ（ａ）及びステップ（ｅ）において、前記加盟店端末が前記中央管理サーバに接続を要請すれば、前記中央管理サーバが、ユーザー認証を行った後、当該加盟店の管理下にある各顧客に関する情報、各顧客の商品注文状況、本社の商品在庫状況及び全国の各加盟店の商品在庫状況などの情報を提供するメニューと、注文された商品のうち本社から顧客に直接的に配送されるべき商品と当該加盟店に配送されるべき商品とを区別して物品配送を選択可能なメニューと、を含むフランチャイズ管理者画面を前記加盟店端末に提供することを特徴とする請求項１４から１８のいずれか１項に記載の方法。
【請求項２８】
前記ステップ（ｅ）は、前記中央管理サーバが、前記加盟店端末から前記フランチャイズ管理者画面を介して物品配送要請を入力されれば、前記物品配送要請に応じて顧客に直接的に配送する物品と担当加盟店に配送する物品を区別して要請された物品に対する配送命令を発令することを特徴とする請求項２７に記載の方法。
【請求項２９】
前記フランチャイズ管理者画面は、当該加盟店の入庫品目、入庫数量、出庫品目、出庫数量、保有品目をチェックして管理することができ、保有在庫の不足による未処理業務の現況を提供するメニューをさらに含むことを特徴とする請求項２７に記載の方法。
【請求項３０】
前記フランチャイズ管理者画面において、商品リストのうち特定の商品が外部入力手段により選択されれば、前記商品に対するイメージがポップアップウィンドウの形でディスプレイされることを特徴とする請求項２７に記載の方法。
【請求項３１】
前記ステップ（ｆ）での配送命令は、本社に在庫がない場合には、全国の加盟店のうち当該商品を保有している加盟店を対象として物品配送を要請する命令を発令することを特徴とする請求項２７に記載の方法。
【発明の詳細な説明】
【技術分野】
【０００１】
本発明はフランチャイズの役割分担参与によるオンライン販売及び統合管理方法に係り、さらに詳しくは、ショッピングモールを管理する本社において各地域別の加盟店を開設し、各加盟店の管理下にある購買会員を顧客として登録させたり購買会員の要請により管理可能な担当加盟店を指定したりすることにより、顧客がオンライン上で商品を注文すると、各地域の加盟店に自動的に注文が受け付けられて各加盟店が迅速に対応して顧客により様々で且つ便利なサービスを提供することのできるフランチャイズが役割を分担して参与するオンライン販売及び統合管理方法に関する。
【背景技術】
【０００２】
情報技術の発達とインターネットの商用化により、通常の購買システムは、ショッピングモールを用いた生活必須品の購入、インターネット書店を用いた書籍の購入などから明らかなように、次第にインターネットを用いた購買管理システムとして普遍化しつつある。しかしながら、ショッピングモールを運営する主体が注文受付及び配送、顧客サービスをいずれも担当するため、配送期間が問題とならない一般工産品に限ってしかサービスを提供できず、オフラインの長点である密着性、信頼度、および決済の利便性が欠如している。また、代理店を備えた企業がショッピングモールを運営している場合であっても、本社において注文、受付を受けて地域代理店にさらに配送指示をしているのが現状である。
【０００３】
企業が必要とする消耗性（ＭＲＯ：maintenance repair and operating）資材を購入するに当たっても、このようなインターネットを用いた購買システムの導入が切実であるが、未だ大幅に活性化していない。しかしながら、企業が必要とする資材を正確に購入することにより購買の人件費と購買費用の節減を通じた競争力を備えるためには、このような情報化した購買システムの導入が必要であり、特に、現場において使用する消耗性資材を適期に購買して管理することが容易ではない中小企業の場合にはこのような購買管理の標準化システムが極めて切実である。このような企業消耗性資材の購買管理は、各中小企業ごとに固有な業種において使用する産業用材を必要とし、このような各産業用材の違いが、一般的な共用資材として分類する上では極めて複雑で且つ不適切であるため、通常の標準化システムとして実現することは容易ではない。
【０００４】
従来の企業消耗性資材の納品方式は主としてオフライン上において行われ、ほとんどの企業において共有するには製品の種類と規格が汎用的ではなく、最終顧客が口頭、電話、ファックスなどにより注文してこれを管理する過程において意思伝達が成功せずにエラーが発生する場合が多かった。
【０００５】
近年、大手企業を中心に購買代行サイトが生成されて企業消耗品専門購買代行をしているが、自体グループ及び系列社または協力社において使用している消耗品の納入窓口として購買代行サイトを利用するように誘導しているだけである。このため、一般の中小企業において購買代行を依頼して利用するには価格、納期、便利性など実質的な運用面において難点があり、取引が成り立ち難いという問題点があった。
【０００６】
さらに、電子競売入札を通じて物品供給契約が締結される場合には持続的に物品を供給できるかどうか分からず、物品の販売のために過熱競争が発生することにより収益性が悪化するという問題点があった。
【０００７】
さらに、納品会社が限られた倉庫に様々な製品を保有できないことにより、購買の多様性が欠如し、注文された品目が売り切れとなって倉庫に在庫が不足した場合には納期が遅延されるという問題点があった。
【０００８】
ひいては、家庭においても毎日または定期的に供給されなければならない物品や新鮮度維持などの制約条件が伴われる物品も顧客が希望する所要時期を選択する機能が不足して供給社の画一的な選択方式により注文をする過程において顧客の不便が持続的に誘発されるのが現状であった。
【先行技術文献】
【特許文献】
【０００９】
【特許文献１】韓国公開特許第１０−２００５−００５５４５８号公報
【特許文献２】米国特許出願公開２００３／００６９８５９号明細書
【特許文献３】韓国公開特許第１０−２０００−００５８７１４号公報
【発明の概要】
【発明が解決しようとする課題】
【００１０】
本発明は上記事情に鑑みてなされたものであり、その目的は、商品をオンライン上においてショッピングモールに提供する本社が加盟店を各地域別に開設し、購買会員を各地域加盟店が担当・管理するようにして各加盟店が購買商品を共有し、加盟店は回転率の高い共同資材だけを保有し、回転率の低い資材は本社において共同保有することにより、商品の最小空間を管理するだけで様々な商品を顧客に正確で且つ迅速に提供することのできるフランチャイズの役割分担参与によるオンライン販売及び統合管理方法を提供するところにある。
【００１１】
また、本発明の目的は、契約により毎月定期決済をすることにより購買決定が迅速に行われ、各顧客別に購買等級を設定して差等化した商品価格を適用することにより顧客中心のサービスが行われ、各加盟店は本社から提供するオンラインメニューを介して担当顧客を管理し、顧客注文商品の配送及び在庫確保を要請することにより物品の配送が円滑に行われるフランチャイズの役割分担参与によるオンライン販売及び統合管理方法を提供するところにある。
【課題を解決するための手段】
【００１２】
上記の如き目的を達成するために、本発明のフランチャイズの役割分担参与によるオンライン販売及び統合管理方法は、
中央管理サーバが加盟店端末または顧客端末から新規顧客に関する所定の情報を入力されて会員登録要請を受け付けるステップ１００と、
前記中央管理サーバが前記顧客の購買等級を決定して会員登録をした後、前記顧客に対する固有コードを付与するステップ２００と、
前記中央管理サーバが顧客端末の接続要請に応じてユーザー認証を行った後、加盟店本社及び加入された全国の加盟店が保有している商品情報を前記顧客端末に提供するステップ３００と、
前記顧客端末から商品に対する注文要請があれば、前記中央管理サーバが有無線通信網を用いて前記商品注文内訳を担当加盟店に通知するステップ４００と、
前記加盟店端末から物品配送要請があれば、前記中央管理サーバが要請された物品に対する配送命令を発令するステップ５００と、を含む。
【００１３】
ここで、前記購買等級は、顧客の信用度、取引量、単一品目に対する集積度などを反映して一定の周期ごとに更新されることが好ましい。
【００１４】
また、前記商品情報は商品の価格を含み、前記商品の価格は各顧客別の購買等級による割引率により顧客ごとに異なるように提供されることを特徴とする。
【００１５】
さらに、顧客の費用決済が現金決済または定期決済である場合、前記中央管理サーバが前記顧客の担当加盟店による精算金額の振込状況を確認し、その確認結果を前記加盟店端末に通知するステップ６００、をさらに含むことを特徴とする。
【００１６】
さらに、顧客の費用決済がカード決済である場合、前記中央管理サーバがカード会社から顧客によるカード決済内訳を通報され、前記カード決済内訳とこれによる精算内訳を前記加盟店端末に通知するステップ７００、をさらに含むことを特徴とする。
【００１７】
また、前記ステップ２００は、前記中央管理サーバが会員登録要請を受けた顧客を検証して欠格事由がなければ会員として登録し、前記入力された顧客に関する所定の情報を反映して購買等級を決定するステップ２１０と、
前記中央管理サーバが前記会員登録された顧客に対する担当加盟店を指定した後、前記顧客に固有コードを付与し、前記顧客に関する情報と前記固有コード及び前記顧客の担当加盟店情報をデータベースに格納するステップ２２０と、
前記中央管理サーバが前記顧客に付与された固有コードを前記顧客の担当加盟店端末に通知するステップ２３０と、を含むことを特徴とする。
【００１８】
また、前記ステップ４００は、前記中央管理サーバが商品注文を入力可能な顧客インタフェース画面を前記顧客端末に提供するステップ４１０と、
前記顧客端末から商品に対する注文要請があれば、前記中央管理サーバが有無線通信網を用いて前記商品についての注文要請内訳を担当加盟店に通知するステップ４２０と、を含んでなることを特徴とする。
【００１９】
ここで、前記顧客インタフェース画面は、顧客端末から注文すべき商品と購買周期を入力されれば、前記商品に対する注文要請が前記購買周期ごとに自動的に行われるメニュー及び過去の注文内訳に対する日付別／品目別の確認機能、決済内訳確認機能などのメニューを含むことを特徴とする。
【００２０】
ここで、前記有無線通信の方式としては、電子メール、携帯電話文字メッセージ、ＣＴＩ（Computer Telephony Integration）を用いた自動電話などの方式が用いられることを特徴とする。
【００２１】
また、前記ステップ１００及びステップ５００において、前記加盟店端末が前記中央管理サーバに接続を要請すれば、前記中央管理サーバがユーザー認証を行った後、当該加盟店の管理下にある各顧客に関する情報、各顧客の商品注文状況、本社の商品在庫状況及び全国の各加盟店の商品在庫状況などの情報を提供するメニューを含み、注文された商品のうち本社から顧客に直接的に配送されるべき商品と当該加盟店に配送されるべき商品とを区別して物品配送を選択可能なメニューを提供するフランチャイズ管理者画面を前記加盟店端末に提供することを特徴とする。
【００２２】
ここで、前記ステップ５００は、前記中央管理サーバが前記加盟店端末から前記フランチャイズ管理者画面を介して物品配送要請を入力されれば、前記物品配送要請に応じて顧客に直接的に配送する物品と担当加盟店に配送する物品を区別して要請された物品に対する配送命令を発令することを特徴とする。
【００２３】
ここで、前記フランチャイズ管理者画面は、当該加盟店の入庫品目、入庫数量、出庫品目、出庫数量、保有品目をチェックして管理することができ、保有在庫の不足による未処理業務の現況を提供するメニューをさらに含むことを特徴とする。
【００２４】
ここで、本社から顧客または加盟店に配送されるべき商品のうち本社に在庫がない場合には、前記中央管理サーバが全国の加盟店のうち当該商品を保有している加盟店を対象として物品配送を要請する命令を発令することを特徴とする。
【００２５】
また、上記の如き目的を達成するために、本発明によるフランチャイズの役割分担参与によるオンライン販売及び統合管理方法は、（ａ）中央管理サーバが加盟店端末または顧客端末から新規顧客に関する所定の情報を入力されて会員登録要請を受け付けるステップと、（ｂ）前記中央管理サーバが会員登録要請した加盟店を前記顧客の担当加盟店として指定し、前記顧客の購買等級を決定して会員登録をし、前記顧客に対する固有コードを付与するステップと、（ｃ）前記中央管理サーバが顧客端末の接続要請に応じてユーザー認証を行った後、加盟店本社及び加入された全国の加盟店が保有している商品情報を前記顧客端末に提供するステップと、（ｄ）前記顧客端末から商品に対する注文要請があれば、前記中央管理サーバが前記商品注文内訳を前記中央管理サーバの担当加盟店管理者領域にリアルタイムにて登録するステップと、（ｅ）加盟店端末が前記中央管理サーバに接続してフランチャイズ管理者画面を介して前記注文内訳を確認し配送を要請するステップと、（ｆ）中央管理サーバが前記配送要請された物品に対する配送命令を発令するステップと、（ｇ）顧客端末が注文した商品代金を決済するステップと、を含んでなる。
【００２６】
ここで、前記購買等級は、顧客の信用度、取引量、単一品目に対する集積度などを反映して一定の周期ごとに更新されることが好ましい。
【００２７】
また、前記商品情報は商品の価格を含み、前記商品の価格は各顧客別の購買等級による割引率により顧客ごとに異なるように提供されることが好ましい。
【００２８】
さらに、顧客の費用決済が現金決済または定期決済である場合、前記中央管理サーバが前記顧客の担当加盟店による精算金額の振込状況を確認し、その確認結果を前記加盟店端末に通知するステップを含むことを特徴とする。
【００２９】
さらに、顧客の費用決済がカード決済である場合、前記中央管理サーバがカード会社から顧客によるカード決済内訳を通報され、前記カード決済内訳とこれによる精算内訳を前記加盟店端末に通知するステップを含むことを特徴とする。
【００３０】
また、前記ステップ（ｂ）は、（ｂ−１）前記中央管理サーバが会員登録要請を受けた顧客を検証して欠格事由がなければ会員として登録し、前記入力された顧客に関する所定の情報を反映して購買等級を決定するステップと、（ｂ−２）前記中央管理サーバが前記会員登録された顧客に対する担当加盟店を指定した後、前記顧客に固有コードを付与し、前記顧客に関する情報と前記固有コード及び前記顧客の担当加盟店情報をデータベースに格納するステップと、（ｂ−３）前記中央管理サーバが前記顧客に付与された固有コードを前記顧客の担当加盟店端末に通知するステップと、を含んでなることを特徴とする。
【００３１】
さらに、前記ステップ（ｄ）は、（ｄ−１）前記中央管理サーバが商品注文を入力可能な顧客インタフェース画面を前記顧客端末に提供するステップと、（ｄ−２）前記顧客端末から商品に対する注文要請があれば、前記中央管理サーバが前記商品に対する注文要請内訳を前記中央管理サーバの担当加盟店管理領域にリアルタイムにて登録するステップと、を含んでなることを特徴とする。
【００３２】
ここで、前記顧客インタフェース画面は、顧客端末から注文すべき商品と購買周期を入力されれば、前記商品に対する注文要請が前記購買周期ごとに自動的に行われるメニュー及び過去の注文内訳に対する日付別／品目別の確認機能、決済内訳確認機能などのメニューを含むことが好ましい。
【００３３】
また、前記顧客インタフェース画面は、外部入力手段により製品が選択されれば、前記製品に対する注文日付を記入可能なメニューを提供することが好ましい。
【００３４】
さらに、前記顧客インタフェース画面は、外部入力手段により予約注文ボタンが活性化されれば、日付別に必要な商品をチェックして注文可能なカレンダータイプの入力メニューがディスプレイされることが好ましい。
【００３５】
さらに、前記顧客インタフェース画面は、当該商品を販売する加盟店ごとに別途に設定された割引率または割増率に応じて自動的に変換された商品の価格をディスプレイ（表示）することが好ましい。
【００３６】
また、前記顧客インタフェース画面は、購買しようとする各種の商品のオプション事項を１枚の画面上において指定した後、注文のための選択が行えるメニューを提供することが好ましい。
【００３７】
さらに、前記顧客インタフェース画面は、注文のために選択された商品価格の合算金額を前記顧客インタフェース画面内の特定の領域にリアルタイムにてディスプレイすることが好ましい。
【００３８】
さらに、前記ステップ（ａ）及びステップ（ｅ）において、前記加盟店端末が前記中央管理サーバに接続を要請すれば、前記中央管理サーバがユーザー認証を行った後、当該加盟店の管理下にある各顧客に関する情報、各顧客の商品注文状況、本社の商品在庫状況及び全国の各加盟店の商品在庫状況などの情報を提供するメニューと、注文された商品のうち本社から顧客に直接的に配送されるべき商品と当該加盟店に配送されるべき商品を区別して物品配送を選択可能なメニューと、を含むフランチャイズ管理者画面を前記加盟店端末に提供することを特徴とする。
【００３９】
ここで、前記ステップ（ｅ）は、前記中央管理サーバが前記加盟店端末から前記フランチャイズ管理者画面を介して物品配送要請を入力されれば、前記物品配送要請に応じて顧客に直接的に配送する物品と担当加盟店に配送する物品を区別して要請された物品に対する配送命令を発令することを特徴とする。
【００４０】
ここで、前記フランチャイズ管理者画面は、当該加盟店の入庫品目、入庫数量、出庫品目、出庫数量、保有品目をチェックして管理することができ、保有在庫の不足による未処理業務の現況を提供するメニューをさらに含むことが好ましい。
【００４１】
また、前記フランチャイズ管理者画面は、商品リストのうち特定の商品が外部入力手段により選択されれば、前記商品に対するイメージがポップアップウィンドウの形でディスプレイされることが好ましい。
【００４２】
ここで、本社から顧客または加盟店に配送されるべき商品のうち本社に在庫がない場合には、前記中央管理サーバが全国の加盟店のうち当該商品を保有している加盟店を対象として物品配送を要請する命令を発令することが好ましい。
【発明の効果】
【００４３】
上述したように、本発明によるフランチャイズの役割分担参与によるオンライン販売及び統合管理方法によれば、各加盟店は各地域別に担当顧客を管理してその費用決済の責任を負うことにより本社から提供するサービスの単なる管理者ではなく、事業参与の主体として経営収益を上げることができるという効果があり、各加盟店は回転率の高い共同資材だけを保有し、回転率の低い資材は本社において共同保有することにより、最小の空間管理だけでも様々な商品を顧客に提供することができ、各顧客別に異なる商品価格を適用することにより顧客中心のサービスを実現することができるという効果がある。
【００４４】
また、このようなシステムを通じて企業消耗品だけではなく、定期配達飲料、直接的に配達しなければならない生鮮食品、配達飲食、図書、生活用品など種々の商品に広範に適用することにより顧客にサービス満足を与えることができるという効果もある。
【図面の簡単な説明】
【００４５】
【図１】本発明の一実施形態によるフランチャイズの役割分担参与によるオンライン販売及び統合管理方法を説明するためのシステム構成図である。
【図２】本発明の一実施形態によるフランチャイズの役割分担参与によるオンライン販売及び統合管理方法を説明するための手順図である。
【図３】図２に示すフランチャイズの役割分担参与によるオンライン販売及び統合管理方法における、加盟店を介して顧客の会員加入がなされるステップＳ２００の動作過程を詳述するための手順図である。
【図４】図２に示すフランチャイズの役割分担参与によるオンライン販売及び統合管理方法におけるステップＳ４００の動作過程を詳述するための手順図である。
【図５】本発明の一実施形態によるフランチャイズの役割分担参与によるオンライン販売及び統合管理方法におけるサービス初期画面を示す図である。
【図６】本発明の一実施形態によるフランチャイズの役割分担参与によるオンライン販売及び統合管理方法における顧客インタフェース画面を示す図である。
【図７】本発明の一実施形態によるフランチャイズの役割分担参与によるオンライン販売及び統合管理方法におけるフランチャイズ管理者画面構成要素を示す図である。
【図８】本発明の一実施形態によるフランチャイズの役割分担参与によるオンライン販売及び統合管理方法における中央管理サーバ管理者画面構成要素を示す図である。
【図９】本発明の第２の実施形態によるフランチャイズの役割分担参与によるオンライン販売及び統合管理方法を説明するための手順図である。
【図１０】図９に示すフランチャイズの役割分担参与によるオンライン販売及び統合管理方法のうち加盟店を介して顧客の会員加入がなされるステップＳ２０の動作過程を詳述するための手順図である。
【図１１】図９に示すフランチャイズの役割分担参与によるオンライン販売及び統合管理方法におけるステップＳ４０の動作過程を詳述するための手順図である。
【図１２】本発明の第２の実施形態によるフランチャイズの役割分担参与によるオンライン販売及び統合管理方法におけるサービス初期画面を示す図である。
【図１３】本発明の第２の実施形態によるフランチャイズの役割分担参与によるオンライン販売及び統合管理方法における顧客インタフェース画面を示す図である。
【図１４】本発明の第２の実施形態によるフランチャイズの役割分担参与によるオンライン販売及び統合管理方法における顧客インタフェース画面の一部を示す図である。
【図１５】本発明の第２の実施形態によるフランチャイズの役割分担参与によるオンライン販売及び統合管理方法における顧客インタフェース画面の一部を示す図である。
【発明を実施するための形態】
【００４６】
以下、添付図面に基づき、本発明の一実施形態によるフランチャイズの役割分担参与によるオンライン販売及び統合管理方法について詳述する。
【００４７】
図１は、本発明の一実施形態によるフランチャイズの役割分担参与によるオンライン販売及び統合管理方法を説明するためのシステム構成図である。
【００４８】
顧客端末１０は、加盟店を介してサービス会員として加入した顧客が、サービスを提供する本社の中央管理サーバ３０に接続して購買すべき商品を確認して商品を注文するなどのサービスを利用するためのインタフェース装置の役割を果たす。
【００４９】
加盟店端末２０は、加盟店から本社の中央管理サーバ３０に接続して自分の管理下にある担当会員顧客の商品注文現況を確認し、顧客の商品注文による配送命令を発令し、在庫物品の配送を本社に要請するためのインタフェースとしての役割を果たす。
【００５０】
中央管理サーバ３０は、本社から通信ネットワーク４０を介して顧客端末１０及び加盟店端末２０にサービスを提供するための手段であって、顧客端末１０に商品情報を提供して商品注文要請を受け、加盟店端末２０から商品配送要請を入力されれば、これに基づき、当該目的地に物品配送を命令する役割を果たす。
【００５１】
データベース３１は、中央管理サーバ３０の命令により会員加入された顧客及び加盟店に関する情報を格納し、各顧客の信用度、取引量、単一品目に対する集積度などの情報と各顧客別の購買等級及び商品価格割引率を格納する役割を果たす。
【００５２】
コールセンター部３２は、中央管理サーバ３０の命令により顧客端末１０から製品及びサービスに対する相談要請があれば、相談要請に関する情報を詳細に提供する役割を果たす。
【００５３】
通信ネットワーク４０は、本社の中央管理サーバ３０を複数の顧客端末１０及び複数の加盟店端末２０と接続する役割を果たす通常の有無線インターネット網を言う。
【００５４】
カード会社サーバ５０は、顧客の要請によりカード決済が行われれば、本社の中央管理サーバ３０に顧客によるカード決済内訳を通報する役割を果たす。
【００５５】
図２は、本発明の一実施形態によるフランチャイズの役割分担参与によるオンライン販売及び統合管理方法を説明するための手順図である。
【００５６】
同図に示すように、先ず、中央管理サーバ３０が加盟店端末２０または顧客端末１０から新規顧客に関する所定の情報を入力されて会員登録要請を受け付ける（Ｓ１００）。このとき、加盟店は、本社とオフライン上で既に契約した加盟店に相当する。加盟店がオフライン上において本社から提供する事業に参与するように契約が締結されると、当該加盟店は単なるサービス加入者ではなく、本社と一緒に事業を運営する運用主体として活動する。加盟店は、自分が属する地域範囲において企業消耗性資材を購買しようとする購買会員社を相手に事業を行うことができるが、本社から提供するサービスを利用するためには当該購買会員を本社に会員として加入させなければならない。加盟店においては、取引の責任者となって取引の安全性を１次的に検証した後、当該購買会員が本社の顧客となりうるように本社に会員登録を要請することになる。
【００５７】
また、購買会員が直接的に本社の中央管理サーバ３０に接続して会員登録要請を行うこともできる。この場合には、購買会員を管理する担当加盟店が存在しないため、会員登録される場合に本社において担当加盟店を指定しておく。一般に、購買会員が属する地域範囲を担当する加盟店が購買会員の担当加盟店として指定される。
【００５８】
次いで、中央管理サーバ３０が顧客の購買等級を決定して会員登録をした後、当該顧客に対する固有コードを付与する（Ｓ２００）。
【００５９】
ここで、添付の図３に基づき、本発明によるフランチャイズの役割分担参与によるオンライン販売及び統合管理方法におけるステップ２００（Ｓ２００）の動作過程を詳述すれば、下記の通りである。
【００６０】
先ず、図２に示すように、中央管理サーバ３０が会員登録要請を受けた顧客を検証して欠格事由がなければ会員として登録し、当該顧客に関する所定の情報を反映して購買等級を決定する（Ｓ２１０）。ここで、購買等級は、一旦設定された後にも顧客の信用度、取引量、単一品目に対する集積度などを反映して一定の周期ごとに更新されることを特徴とする。
【００６１】
本発明によれば、各顧客別に購買等級による割引率を適用して価格を異なるようにすることに特徴があり、このような顧客別の購買等級を決定する基準としては、顧客の信用度、取引量、単一品目に対する集積度などがある。このため、顧客が最初に会員加入をすれば、商品価格に対する割引率が適用されないが、顧客の信用度及びその他の取引情報が次第に積立てられるに伴い、購買等級の変化により割引率も変わる。例えば、信用度が低下すると、割引率も次第に低下し、信用度が高くなると、割引率も高くなる。このような顧客の購買等級に応じて顧客の割引率が決定され、これはデータベース３１に格納される。ここで、顧客の信用度、取引量、単一品目に対する集積度の更新期間は任意に設定可能であり、通常３ヶ月単位に更新される。
【００６２】
次に、中央管理サーバ３０が会員登録された顧客に対する担当加盟店を指定した後、顧客に固有コードを付与し、顧客に関する情報と固有コード及び顧客の担当加盟店情報をデータベースに格納する（Ｓ２２０）。このとき、上述したように、加盟店端末２０による受付がなされた場合には、会員登録を要請した加盟店の管理下にある担当会員として登録され、顧客が直接的に会員登録を要請した場合には、本社において指定した加盟店の管理下にある担当会員として登録される。
【００６３】
その後、中央管理サーバ３０が顧客に付与された固有コードを顧客の担当加盟店端末２０に通知する（Ｓ２３０）。すると、当該顧客の固有コードを転送された担当加盟店においては、当該顧客に固有コードを個別的に通報することにより顧客が本社に会員として加入されている旨を知らせ、これにより、顧客は本社から提供するサービスを用いた取引を開始することが可能になる。
【００６４】
次いで、中央管理サーバ３０が顧客端末１０の接続要請に応じてユーザー認証を行った後、加盟店本社及び加入された全国の加盟店が保有している商品情報を当該顧客端末１０に提供する（Ｓ３００）。ここで、商品情報は商品の価格を含み、商品の価格は各顧客別の購買等級による割引率により顧客ごとに異なるように提供されることを特徴とする。すなわち、中央管理サーバ３０に接続した顧客に提供される商品情報は本社において保有している商品に限定されることなく、サービスに加入された全ての加盟店が保有している商品の全体に相当する。このとき、顧客の費用支給が遅れるなどの原因により顧客の信用度が一定の基準以下に下がると、中央管理サーバ３０においてはそれ以上当該顧客に商品情報及び商品の価格を提供せず、当該情報の提供を遮断することになる。
【００６５】
次いで、顧客端末１０から商品に対する注文要請があれば、中央管理サーバ３０が有無線通信網を用いて当該商品注文内訳を担当加盟店に通知する（Ｓ４００）。
【００６６】
ここで、添付の図４に基づき、本発明によるフランチャイズの役割分担参与によるオンライン販売及び統合管理方法におけるステップ４００（Ｓ４００）の動作過程を詳述すると、下記の通りである。
【００６７】
先ず、中央管理サーバ３０が商品注文を入力可能な顧客インタフェース画面を顧客端末１０に提供する（Ｓ４１０）。
【００６８】
このとき、顧客インタフェース画面は、顧客端末１０から注文すべき商品と購買周期を入力されると、当該商品に対する注文が先に入力されて設定された購買周期ごとに自動的に要請されるように選択可能なメニューを提供する。このため、顧客は一定の購買周期（３、６、１２ヶ月など）を選択することにより周期的に購買すべき商品注文を予め申請することができる。
【００６９】
また、顧客インタフェース画面は、顧客が日付別／品目別の過去の注文内訳を確認したり、決済内訳を確認したりできるようにする機能などのメニューを提供する。
【００７０】
加えて、中央管理サーバ３０は、顧客端末１０から相談要請信号を入力されると、有無線通信の方式により、相談内容に関する情報を提供するコールセンター部３２に顧客端末１０を接続する機能も提供する。すなわち、顧客は本社から提供するコールセンターサービスを用いて本社のサービスを通じて提供される全ての製品に対して相談を要請することができ、相談を要請された製品に関する詳細な説明及びこれに関する情報を提供されることが可能になる。
【００７１】
次に、顧客端末１０から商品に対する注文要請があれば、中央管理サーバ３０が有無線通信網を用いて商品に対する注文要請内訳を担当加盟店に通知する（Ｓ４２０）。
【００７２】
すなわち、顧客が中央管理サーバ３０から提供する商品情報を閲覧した後には、通信ネットワーク４０を介して接続された本社の中央管理サーバ３０を介して商品を注文することができる。このとき、注文可能な商品は本社において保有している商品に限定されることなく、本社のサービスに加入された全ての加盟店の保有商品が購買対象に相当する。中央管理サーバ３０は、顧客から商品注文要請がなされると、当該顧客を管理する担当加盟店に当該顧客が商品を注文した旨を知らせる通知を送る。ここで、有無線通信の方式としては、電子メール、携帯電話の文字メッセージ、ＣＴＩを用いた自動電話などの方式がある。
【００７３】
次いで、加盟店端末２０から物品配送の要請があれば、中央管理サーバ３０が要請された物品に対する配送命令を発令する（Ｓ５００）。すなわち、顧客が本社に注文した商品配送については、当該顧客を管理する担当加盟店の決定により当該加盟店端末２０を介して配送命令が発令される。
【００７４】
このとき、ステップＳ１００及びステップＳ５００において、加盟店端末２０が中央管理サーバ３０に接続を要請すれば、中央管理サーバ３０がユーザー認証を行った後、当該加盟店の管理下にある各顧客に関する情報、各顧客の商品注文状況、本社の商品在庫状況及び全国の各加盟店の商品在庫状況などの情報を提供するメニューを含み、注文された商品のうち本社から顧客に直接的に配送されるべき商品と当該加盟店に配送されるべき商品を区別して物品配送を選択可能なメニューを提供するフランチャイズ管理者画面を当該加盟店端末２０に提供する。
【００７５】
すなわち、顧客に注文商品を配送する最終決定は当該顧客を担当する加盟店の選択により行われるが、加盟店においては、フランチャイズ管理者画面を介して加盟店に在庫がない物品は本社から直接的に当該顧客に配送されるように選択可能である。加盟店に在庫がある物品の場合には、加盟店から直接的に顧客に配送することができ、これはオプションであるため、加盟店の選択によりさらに効率よい配送が行われうる。また、必要に応じて、加盟店において一旦受領した後に顧客に直接的に配送しなければならない物品の場合には、一旦当該加盟店に物品が配送されるように選択可能である。
【００７６】
さらに、フランチャイズ管理者画面は、当該加盟店の入庫品目、入庫数量、出庫品目、出庫数量、保有品目をチェックして管理することができ、保有在庫の不足による未処理業務の現況を提供するメニューをさらに含むことができる。これにより、加盟店においては、現在加盟店に入庫された物品及び出庫された物品の現況を把握することができ、在庫不足により未処理された業務現況を把握することができる。
【００７７】
また、フランチャイズ管理者画面は、顧客により注文された商品の他に、余分の追加物品を配送注文可能なメニューをさらに含むことができ、これにより、加盟店においては、加盟店自体の在庫物量を確保するために本社に所望の物品の配送を要請することができる。
【００７８】
さらに、加盟店においては、フランチャイズ管理者画面を介して必要となる新商品を本社に開発依頼することもでき、このような新商品の開発依頼事項は選定手続きにより全ての加入された加盟店が情報を共有することができる。
【００７９】
さらに、ステップＳ５００において、中央管理サーバ３０が加盟店端末２０からフランチャイズ管理者画面を介して物品配送の要請を入力されると、物品配送要請に応じて顧客に直接的に配送する物品と担当加盟店に配送する物品とを区別して要請された物品に対する配送命令を発令する。
【００８０】
このように顧客への物品配送がなされるためには、商品の在庫が十分である必要がある。ところが、顧客に提供される商品情報には本社において保有しておらず、各地域加盟店からアップロードされた保有商品データが含まれているため、下記の過程がさらに要求される。
【００８１】
すなわち、本社から顧客または加盟店に配送されるべき商品のうち本社に在庫がない場合には、中央管理サーバ３０が全国の加盟店のうち当該商品を保有している加盟店を対象として物品配送を要請する命令を発令する。このため、本社には在庫がない商品を保有している加盟店は当該注文商品を本社の要請に応じて顧客に直接的に若しくは本社を介して間接的に配送することになる。商品保有加盟店が顧客から近くに位置している場合には、当該加盟店から顧客に直接的に物品配送がなされた方が一層有効である。
【００８２】
次いで、顧客または加盟店により費用決済がなされるが、費用決済方式は定期決済、購買時現金決済、購買時カード決済の３種類の場合が考えられる。
【００８３】
先ず、顧客の費用決済が現金決済または定期決済である場合には、中央管理サーバ３０が顧客の担当加盟店による精算金額の振込状況を確認し、その確認結果を当該加盟店端末２０に通知する（Ｓ６００）。すなわち、現金決済は、顧客が商品注文をした後に担当加盟店の口座にその代金を振り込むなどの方式によりなされるため、担当加盟店が顧客から振り込まれた金額のうち精算金額を算定して本社の口座に振り込まなければならない。また、定期決済も顧客が月間指定決済日に約定された決済方式により担当加盟店に決済をし、この場合にも、サービスを提供する本社に当該精算金額を決済することは各顧客の担当加盟店が負担することになる。
【００８４】
そして、顧客の費用決済がカード決済である場合には、中央管理サーバ３０がカード会社から顧客によるカード決済内訳を通報され、当該カード決済内訳とこれによる精算内訳を当該加盟店端末２０に通知する（Ｓ７００）。すなわち、顧客によるカード決済がなされると、当該金額が本社の口座に振り込まれるため、結局、本社において集金がなされる。このため、集金された金額のうち担当加盟店の口座に振り込まれるべき精算金額が本社から当該加盟店の口座に振り込まれ、これによる精算内訳が担当加盟店端末２０に通知される。
【００８５】
また、加盟店が開設されていない地域顧客の場合にも、本社において当該顧客を担当する加盟店の役割を果たすため、顧客は本社と直接的に取引をすることになる。このため、このような場合にも、中央管理サーバ３０がカード会社から顧客によるカード決済内訳を通報される。すなわち、本社は顧客から直接的に費用決済を受ける。
【００８６】
上述したように、顧客を管理担当し、顧客の注文商品を配送決定し、顧客の注文事項に対する費用決済の責任を負うなど加盟店の役割が極めて大きいため、本社においては加入された加盟店を対象として定期的な営業教育と販売、会計に対する管理教育を並行する。また、本社においては、フランチャイズ学校を運営して加盟店が備えるべき新たな能力が要求される度に追加教育を行うことにより、各加盟店が事業主体として十分な能力を備えるように管理する役割も果たす。
【００８７】
図５は、本発明の一実施形態によるフランチャイズの役割分担参与によるオンライン販売及び統合管理方法におけるサービス初期画面を示す図である。
【００８８】
同図に示すように、購買会員社ログインは、商品を購買しようとする顧客が顧客インタフェース画面に入るための選択メニューであり、販売会員社ログインは、会員加入された加盟店がフランチャイズ管理者画面に入るための選択メニューである。また、「ＳＣＭ（Supply Chain Management，供給連鎖管理）へ」は、本社において中央管理サーバ３０を管理するために中央管理サーバ管理者画面に入るための選択メニューである。
【００８９】
画面左側メニューは、企業消耗性資材品目として工具鉄物、産業安全、建設安全、道路交通、事務用品、衛生用品を選択可能に構成されている。加えて、新規商品の選択、お知らせ及び連絡先の確認を可能とするメニューが構成されている。
【００９０】
図６は、本発明の一実施形態によるフランチャイズの役割分担参与によるオンライン販売及び統合管理方法における顧客インタフェース画面を示す図である。
【００９１】
ＭｙＭＲＯメニューを介して顧客は自社の情報を確認／修正することができ、自社の購買等級を確認することができる。また、日付別の取引内訳と決済日、決済金額、振込み有無及び残額を確認することができ、過去の注文内訳を日付別、品目別、受取人別に検索することができる。
【００９２】
お気に入りメニューを介しては所望の商品を予め選択することができ、買い物かごメニューを介して選択した商品に対する注文がなされる。このとき、注文書を作成する過程において決済方法文のウィンドウが現れると、顧客はカード／現金／定期決済／手形などの決済方法を選択することができ、決済方法により価格が変動される。
【００９３】
注文／配送照会メニューを介して顧客は注文、配送を照会し、取消し、交換、返品、ＡＳ申請をすることができ、日付別の過去の注文を照会することができる。また、取引内訳（取引金額、決済内訳案内）を照会することができ、購買周期（３、６、１２ヶ月）を入力して発注することにより一定の周期ごとに選択した商品に対する自動注文システムが作動するように選択することができる。
【００９４】
顧客満足センター／ＦＡＱメニューは、サービス利用時によくある質問と回答を提供し、これらの他に、顧客に適用される購買等級及びカテゴリー別の価格等級の適用基準を案内する。
【００９５】
図７は、本発明の一実施形態によるフランチャイズの役割分担参与によるオンライン販売及び統合管理方法におけるフランチャイズ管理者画面構成要素を示す図である。
【００９６】
＜購買管理＞における商品入出庫管理メニューは、入庫品目コードをチェックして入庫数量を入力可能にし、保有品目をチェックし、保有品目のみを画面上に出力することにより在庫を把握可能にする。また、保有在庫不足分が一定量未満である場合には未処理業務を表示させる。さらに、バーコードスキャンを用いて入出庫承認がなされる場合には、これによる販売量が直ちに反映されて在庫現況が算定されて現れる。
【００９７】
＜販売管理＞における取引内訳照会メニューは、品目、数量、金額において日付別の納品の現況を把握可能にし、＜販売管理＞における商品販売管理メニューは、販売数量別、金額別、期間別、取引先別、コード、分類、品名、単価、数量などを基準として商品販売の現況を把握可能にする。
【００９８】
＜精算管理＞における税金計算書メニューは、取引先別に毎月の取引金額を提供し、顧客別に税金計算書を管理及び発給可能にする。また、本社買入取引内訳を確認することができ、税金計算書を承認する機能を提供する。
【００９９】
図８は、本発明の一実施形態によるフランチャイズの役割分担参与によるオンライン販売及び統合管理方法における中央管理サーバ管理者画面構成要素を示す図である。
【０１００】
＜会員管理＞における購買会員社管理メニューは、商品を購入しようとする顧客を管理するためのメニューであって、会員加入された顧客に固有コードを付与する機能を提供するが、固有コードは、例えば（地域番号−ＡＡ／購買等級００００４単位）のような形式を取る。また、顧客と顧客の当該地域加盟店を接続することにより顧客を管理担当可能な加盟店を指定する機能も提供するが、この場合は顧客が加盟店を介することなく直接的に本社の中央管理サーバ３０を介して会員加入をする場合に相当する。また、カテゴリー別に顧客の購買等級を管理してこれを顧客のメールアドレスに転送し、購買内訳、取引金額、決済内訳を管理する機能を提供する。
【０１０１】
＜会員管理＞における販売会員社管理メニューは、加入された加盟店を管理するためのメニューである。各地域加盟店の発注内訳及び配送依頼内訳を管理し、購買内訳、取引金額、決済内訳を管理可能にする。また、購買会員社に相当する顧客が中央管理サーバ３０にログインすると、当該顧客が属する地域の加盟店の名前を表示するように設定可能にする。
【０１０２】
＜商品管理＞における商品管理メニューは、商品を登録するときに各顧客の購買等級に応じて多重価格が策定されるようにし、商品の価格を各分類に応じて一括して切り替える機能を提供する。
【０１０３】
＜商品管理＞における価格管理メニューは、商品の販売価格が分類別に異なるように登録可能にし、各加盟店の購買価格及び各顧客の購買等級別価格を管理する機能を提供する。また、決済方式がカード／現金／定期決済／手形のうちどれであるかによって価格が変動する。
【０１０４】
＜商品管理＞における保有商品在庫管理及び未保有商品在庫管理メニューを介して在庫不足分を別途に管理することができる。
【０１０５】
すなわち、一括出力納期日を大、中、小の３分類別に選択して入力することができ、数量の全体または一部を選択して入力することもできる。
【０１０６】
＜注文／配送管理＞における購買会員注文管理メニューを介して当該顧客の注文による担当管理加盟店の対応（直配／配送）現況を確認することができる。
【０１０７】
以下、本発明の第２の実施形態によるフランチャイズの役割分担参与によるオンライン販売及び統合管理方法を説明する。
【０１０８】
図９は、本発明の第２の実施形態によるフランチャイズの役割分担参与によるオンライン販売及び統合管理方法を説明するための手順図である。
【０１０９】
同図に示すように、先ず、中央管理サーバ３０が加盟店端末２０または顧客端末１０から新規顧客に関する所定の情報を入力されて会員登録要請を受け付ける（Ｓ１０）。このとき、加盟店は本社とオフライン上で既に契約した加盟店に相当する。加盟店がオフライン上で本社から提供する事業に参与するように契約が締結されると、当該加盟店は単なるサービス加入者ではなく、本社と一緒に事業を運営する運用主体として活動することになる。加盟店は、自分が属する地域範囲においてショッピングモールにおいて取り扱う製品を購買しようとする購買会員社を相手に事業をすることができるが、本社から提供するサービスを利用するためには当該購買会員を本社に会員として加入させなければならない。加盟店においては、取引の責任者として取引の安全性を１次的に検証した後、当該購買会員が本社の顧客になりうるように本社に会員登録を要請する。
【０１１０】
また、購買会員が直接的に本社の中央管理サーバ３０に接続して会員登録要請を行うこともできる。この場合には、購買会員を管理する担当加盟店が存在しないため、会員登録される場合に本社において担当加盟店を指定する。一般に、購買会員が属する地域範囲を担当する加盟店が購買会員の担当加盟店として指定される。
【０１１１】
次いで、中央管理サーバ３０が顧客の購買等級を決定して会員登録をした後、当該顧客に対する固有コードを付与する（Ｓ２０）。
【０１１２】
ここで、添付の図１０に基づき、本発明の第２の実施形態によるフランチャイズの役割分担参与によるオンライン販売及び統合管理方法におけるステップＳ２０の動作過程を詳述すると、下記の通りである。
【０１１３】
先ず、図１０に示すように、中央管理サーバ３０が会員登録要請を受けた顧客を検証して欠格事由がなければ会員として登録し、当該顧客に関する所定の情報を反映して購買等級を決定する（Ｓ２１）。ここで、購買等級は、一旦設定された後にも顧客の信用度、取引量、単一品目に対する集積度などを反映して一定の周期ごとに更新されることを特徴とする。
【０１１４】
本発明によれば、各顧客別に購買等級による割引率を適用して価格を異なるようにすることに特徴があり、このような顧客別購買等級を決定する基準としては、顧客の信用度、取引量、単一品目に対する集積度などがある。このため、顧客が最初に会員加入をすると、商品価格に対する割引率が適用されないが、顧客の信用度及びその他の取引情報が次第に積み立てられるに伴い、購買等級の変化により割引率も変わる。例えば、信用度が低下すれば割引率も次第に低下し、信用度が高くなると割引率も高くなる。このような顧客の購買等級に応じて顧客の割引率が決定され、これはデータベース３１に格納される。ここで、顧客の信用度、取引量、単一品目に対する集積度の更新期間は任意に設定可能であり、普通３ヶ月単位に更新される。
【０１１５】
次に、中央管理サーバ３０が会員登録された顧客に対する担当加盟店を指定した後、顧客に固有コードを付与し、顧客に関する情報と固有コード及び顧客の担当加盟店情報をデータベースに格納する（Ｓ２２）。このとき、上述したように、加盟店端末２０による受付がなされた場合には会員登録を要請した加盟店の管理下にある担当会員として登録され、顧客が直接的に会員登録を要請した場合には本社において指定した加盟店の管理下にある担当会員として登録される。
【０１１６】
その後、中央管理サーバ３０が顧客に付与された固有コードを顧客の担当加盟店端末２０に通知する（Ｓ２３）。すると、当該顧客の固有コードを転送された担当加盟店においては当該顧客に固有コードを個別的に通報することにより顧客が本社に会員として加入された旨を知らせ、これにより、顧客は本社から提供するサービスを用いた取引を開始することが可能になる。
【０１１７】
次いで、中央管理サーバ３０が顧客端末１０の接続要請に応じてユーザー認証を行った後、加盟店本社及び加入された全国の加盟店が保有している商品情報を当該顧客端末１０に提供する（Ｓ３０）。ここで、商品情報は商品の価格を含み、商品の価格は各顧客別購買等級による割引率により顧客ごとに異なるように提供されることを特徴とする。すなわち、中央管理サーバ３０に接続した顧客に提供される商品情報は本社において保有している商品に制限されることなく、サービスに加入された全ての加盟店が保有している商品の全体に相当する。このとき、顧客の費用支給が遅れるなどの原因により顧客の信用度が一定のレベル以下に下がると、中央管理サーバ３０においてはそれ以上当該顧客に商品情報及び商品の価格を提供せず、当該情報の提供を遮断することになる。
【０１１８】
次いで、顧客端末１０から商品に対する注文要請があれば、中央管理サーバ３０が当該商品注文内訳を中央管理サーバ３０の担当加盟店管理者領域にリアルタイムにて登録する（Ｓ４０）。
【０１１９】
以下、添付の図１１に基づき、本発明の第２の実施形態によるフランチャイズの役割分担参与によるオンライン販売及び統合管理方法におけるステップＳ４０の動作過程を詳述する。
【０１２０】
先ず、中央管理サーバ３０が商品注文を入力可能な顧客インタフェース画面を顧客端末１０に提供する（Ｓ４１）。
【０１２１】
このとき、顧客インタフェース画面は顧客端末１０から注文すべき商品と購買周期を入力されれば、当該商品に対する注文が先に入力されて設定された購買周期ごとに自動的に要請されるように選択可能なメニューを提供する。このため、顧客は一定の購買周期（３、６、１２ヶ月など）を選択することにより周期的に購買すべき商品注文を予め申請することができ、月単位の様々な商品の注文も予め選択して申請することができる。
【０１２２】
また、顧客インタフェース画面は、顧客が日付別／品目別の過去の注文内訳を確認したり、決済内訳を確認したりできるようにする機能などのメニューを提供する。
【０１２３】
さらに、顧客インタフェース画面は、外部入力手段により製品が選択されれば、前記製品に対する注文日付を記入可能なメニューを提供し、外部入力手段により予約注文ボタンが活性化されれば、日付別に必要となる商品をチェックして注文可能なカレンダータイプの入力メニューがディスプレイされる。すなわち、顧客がマウスなどを用いて画面上の製品または日別／月別の予約注文ボタンをチェックすればカレンダーが生成され、日付別または月別に必要となる商品をチェックして注文することにより顧客が一目瞭然に日付別に注文製品を確認しながら注文することが可能になる。
【０１２４】
さらに、顧客インタフェース画面は、当該商品を販売する加盟店ごとに別途に設定された割引率または割増率に応じて自動的に変換された商品の価格をディスプレイする。すなわち、各加盟店ごとに競売、共同購買、割引行事などのイベントを通じて当該商品に対する割引率または割増率を適用して商品価格が変動される場合には当該商品販売加盟店ごとに商品価格を自動的に変換して顧客に提供することになる。このとき、顧客が商品販売加盟店を選択すれば、当該商品に関するその他の情報はそのまま維持され、商品価格だけ割引率または割増率により自動的に変換されて顧客インタフェース画面にディスプレイされる。
【０１２５】
また、顧客インタフェース画面は、購買しようとする種々の商品のオプションを１枚の画面上において指定した後、注文のための選択が可能なメニューを提供する。現在各種のショッピングモールから提供する購買システムの場合には、衣類や履物のように製品別にサイズが異なる商品を顧客が各サイズ別に多量の製品を購買しようとする場合には、サイズ別に数量をチェックして買い物かごに入れなければならない。例えば、５種類のサイズのものを３個ずつ購買しようとする場合には、５回に亘って各サイズ別に買い物かごを開いて製品を選択しなければならない。すなわち、１枚の画面上において一括して注文をすることができず、買い物かごを多数回クリックする必要がある。しかしながら、本発明の顧客インタフェース画面においては、サイズ、数量などの各種のオプションを詳細情報ウィンドウに一目瞭然に閲覧可能に図表化して、サイズ別の数量を必要分だけ入力して１回のみ買い物かごに入れるように実現することにより購買時に手間がかかることを解消することができる。また、工具のドリルのようにサイズに応じて様々な規格が存在する場合にも、このような方式を用いて一括して各種のサイズの製品を購買することができ、セット商品の場合にもセット構成のうち顧客が必要とする商品だけを選んでセットを構成することが可能になる。
【０１２６】
また、顧客インタフェース画面は、注文のために選択された商品価格の合算金額を前記顧客インタフェース画面内の特定の領域にリアルタイムにてディスプレイする。すなわち、顧客が買い物かごに様々な商品を入れた場合、インターネットショッピングをする間に買い物かごに入れられた合算金額が顧客インタフェース画面上にリアルタイムにて表示される。このため、買い物かごに入って選択した商品の合算金額を一々確認する必要がなく、購買限度が定められている認証書（certificate）を用いて商品を購買する場合、リアルタイムにてディスプレイされる合算金額を確認することにより、合計の合算金額が購買限度を超えないように顧客がチェックすることができるため、購買の効率性を高めることができる。
【０１２７】
これらに加えて、中央管理サーバ３０は、顧客端末１０から相談要請信号を入力されれば、有無線通信の方式により相談内容に関する情報を提供するコールセンター部３２に顧客端末１０を接続するような機能も提供する。すなわち、顧客は本社から提供するコールセンターサービスを用いて本社のサービスを通じて提供されるあらゆる製品について相談を要請することができ、相談を要請された製品に関する詳細な説明及びこれに関連する情報を提供されることが可能になる。
【０１２８】
次いで、顧客端末１０から商品に対する注文要請があれば、中央管理サーバ３０が当該商品に対する注文要請内訳を中央管理サーバ３０の担当加盟店の管理領域にリアルタイムにて登録する（Ｓ４２）。このとき、中央管理サーバ３０はＳＭＳやスピーカーにより注文が受け付けられた旨を本社及び担当加盟店に知らせる。
【０１２９】
すなわち、顧客が中央管理サーバ３０から提供する商品情報を閲覧した後には、通信ネットワーク４０を介して接続された本社の中央管理サーバ３０を介して商品を注文することができる。このとき、注文可能な商品は本社において保有している商品に限定されることなく、本社のサービスに加入された全ての加盟店の保有商品が購買対象に相当する。
【０１３０】
次いで、加盟店端末２０から物品配送要請があれば、中央管理サーバ３０が要請された物品に対する配送命令を発令する（Ｓ５０）。すなわち、顧客が本社に注文した商品配送は当該顧客を管理する担当加盟店の決定により当該加盟店端末２０を介して配送命令が発令される。
【０１３１】
このとき、ステップＳ１０及びステップＳ５０において、加盟店端末２０が中央管理サーバ３０に接続を要請すれば、中央管理サーバ３０がユーザー認証を行った後、当該加盟店の管理下にある各顧客に関する情報、各顧客の商品注文状況、本社の商品在庫状況及び全国の各加盟店の商品在庫状況などの情報を提供するメニューと、注文された商品のうち本社から顧客に直接的に配送されるべき商品と当該加盟店に配送されるべき商品を区別して物品配送を選択可能なメニューと、を含むフランチャイズ管理者画面を当該加盟店端末２０に提供する。
【０１３２】
すなわち、顧客に注文商品を配送する最終決定は当該顧客を担当する加盟店の選択によりなされるが、加盟店においては、フランチャイズ管理者画面を介して加盟店に在庫がない物品は本社から直接的に当該顧客に配送されるように選択することができる。加盟店に在庫がある物品の場合には加盟店から直接的に顧客に配送することができ、これはオプションであるため加盟店の選択によりさらに効率よい配送が行われうる。また、必要に応じて、加盟店において一旦受領した後に顧客に直接的に配送すべき物品の場合には、一旦当該加盟店に物品が配送されるように選択することもできる。
【０１３３】
また、フランチャイズ管理者画面は当該加盟店の販売現況を集計し、配送有無を把握し、会計、在庫管理機能を提供する。すなわち、当該加盟店の入庫品目、入庫数量、出庫品目、出庫数量、保有品目をチェックして管理することができ、保有在庫の不足による未処理業務の現況を提供するメニューをさらに含むことができる。これにより、加盟店においては、現在加盟店に入庫された物品及び出庫された物品の現況を把握することができ、在庫不足により未処理された業務の現況を把握することができる。
【０１３４】
さらに、フランチャイズ管理者画面は、商品一覧のうち特定の商品が外部入力手段により選択されれば、当該商品に対するイメージをポップアップウィンドウの形でディスプレイする機能を提供する。すなわち、既存の管理者システムにおいては商品に対する一覧しか提供できず、商品のイメージを直接的に確認可能な機能が提供されておらず、どのような商品であるかを把握し難いという問題点があった。一般に、管理者の場合には商品に関する情報を十分に知っているとしてこのような方式によりシステムが実現されたが、本発明の場合には数万種の商品を管理することになるため、管理者が商品に関する詳細情報を満遍なく把握することは決して容易ではない。このため、本発明のフランチャイズ管理者画面及び本社の管理者メニューにおいては、画面上の製品名さえマウスなどの入力手段によりクリックすれば商品イメージが生成されてポップアップウィンドウの形でディスプレイする機能を提供する。
【０１３５】
また、フランチャイズ管理者画面は顧客により注文された商品の他に追加物品を配送注文可能なメニューをさらに含むことができ、これにより、加盟店においては加盟店そのものの在庫物量を確保するために本社に所望の物品の配送を要請することができる。
【０１３６】
さらに、加盟店においては、フランチャイズ管理者画面を介して必要とする新商品を本社に開発依頼することもでき、このような新商品開発の依頼事項は選定手続きにより全ての加入された加盟店が情報を共有することができる。
【０１３７】
そして、ステップＳ５０において、中央管理サーバ３０が加盟店端末２０からフランチャイズ管理者画面を介して物品配送要請を入力されれば、物品配送要請に応じて顧客に直接的に配送する物品と担当加盟店に配送する物品を区別して要請された物品に対する配送命令を発令する。
【０１３８】
このように顧客への物品配送がなされるためには、商品の在庫が十分である必要がある。ところが、顧客に提供される商品情報のうちには本社において保有しておらず、各地域加盟店からアップロードされた保有商品データが含まれているため、下記の過程がさらに必要となる。
【０１３９】
すなわち、本社から顧客または加盟店に配送されるべき商品のうち本社に在庫がない場合には、中央管理サーバ３０が全国の加盟店のうち当該商品を保有している加盟店を対象として物品配送を要請する命令を発令する。このため、本社には在庫がない商品を保有している加盟店は当該注文商品を本社の要請に応じて顧客に直接的に若しくは本社を介して間接的に配送することになる。商品保有加盟店が顧客の近くに位置している場合には当該加盟店から顧客に直接的に物品配送がなされた方がなお一層効率的である。
【０１４０】
次いで、顧客または加盟店により費用決済がなされるが、費用決済方式としては、定期決済、購買時現金決済、購買時カード決済及び物品受領時現金決済など種々の方式が考えられる。
【０１４１】
先ず、顧客の費用決済が現金決済または定期決済である場合には、中央管理サーバ３０が顧客の担当加盟店による精算金額振込状況を確認し、その確認結果を当該加盟店端末２０に通知する（Ｓ６０）。すなわち、現金決済は顧客が商品注文をした後に担当加盟店の口座に代金を振り込むような方式によりなされるため、顧客から担当加盟店に振り込まれた金額のうち精算金額を算定して本社の口座に振り込む必要がある。また、定期決済についても、顧客が月間指定決済日に約定された決済方式により担当加盟店に決済をし、この場合にもサービスを提供する本社への当該精算金額の決済は各顧客の担当加盟店が負担することになる。
【０１４２】
そして、顧客の費用決済がカード決済である場合には、中央管理サーバ３０がカード会社から顧客によるカード決済内訳を通報され、当該カード決済内訳とこれによる精算内訳を当該加盟店端末２０に通知する（Ｓ７０）。すなわち、顧客によるカード決済がなされると、当該金額が本社の口座に振り込まれるため、結局、本社において集金がなされる。このため、集金された金額のうち担当加盟店に振り込まれるべき精算金額が本社から当該加盟店の口座に振り込まれ、これによる精算内訳が担当加盟店端末２０に通知される。
【０１４３】
また、加盟店が開設されていない地域顧客の場合にも、本社において当該顧客を担当する加盟店の役割を果たすため、顧客は本社と直接的に取引することになる。このため、このような場合にも、カード会社から中央管理サーバ３０に顧客によるカード決済内訳が通報される。すなわち、本社は顧客から直接的に費用決済を受ける。
【０１４４】
上述したように、顧客を管理担当し、顧客の注文商品を配送決定し、顧客の注文事項に対する費用決済の責任を負うなど加盟店の役割が極めて大きなため、本社においては加入された加盟店を対象として定期的な営業教育と販売、会計に対する管理教育を並行する。また、本社においては、フランチャイズ学校を運営して加盟店が備えるべき新たな能力が要求される度に追加教育を行うことにより、各加盟店が事業主体として十分な能力を備えるように管理する役割も果たす。
【０１４５】
図１２は、本発明の第２の実施形態によるフランチャイズの役割分担参与によるオンライン販売及び統合管理方法におけるサービス初期画面を示す図である。
【０１４６】
図１２に示すように、左側メニューには会社の画像とサイトの特性を一目瞭然に把握可能なフラッシュ画像がディスプレイされる。そして、右側メニューには物を販売する加盟店、物を購買する購買社、物を供給する供給社のためのそれぞれのお知らせがあることが分かる。加盟店、購買社、供給社ごとにログイン接続することができ、ログイン後には加盟店、購買社及び供給社のそれぞれに合わせて製作された購買及び管理画面が提供される。
【０１４７】
画面の下にはショッピングモールを介して購買可能な主アイテムが品目別に表示されており、右上には当該商品を購買可能なショッピングモールボタンが設けられている。
【０１４８】
図１３は、本発明の第２の実施形態によるフランチャイズの役割分担参与によるオンライン販売及び統合管理方法における顧客インタフェース画面を示す図である。
【０１４９】
図１３に示すように、各種の商品一覧がカテゴリー別に左上に並べられており、代表的な販売商品に対する商品のイメージ（画像）と商品情報を把握可能な商品バナーが配列されている。
【０１５０】
また、リアルタイムにて顧客により選択された商品一覧と商品金額合計をディスプレイする買い物かご画面が右上に表示される。
【０１５１】
図１４は、本発明の第２の実施形態によるフランチャイズの役割分担参与によるオンライン販売及び統合管理方法における顧客インタフェース画面の一部を示す図である。
【０１５２】
図１４に示すように、図１４には、図１３に示す商品一覧に関する詳細情報を提供するために各品目別に商品情報提供メニューが示してある。各種の商品バナーとこれによる画像をディスプレイするようにメニューが構成されている。
【０１５３】
図１５は、本発明の第２の実施形態によるフランチャイズの役割分担参与によるオンライン販売及び統合管理方法における顧客インタフェース画面の一部を示す他の図である。
そして、図１５に示すように、予約注文、簡便注文及び「購買履歴を見る」など種々の方式の商品注文メニューが提供される。また、ショッピングモールに対するお問い合わせ及び使い方を説明するメニューが提供され、各種の計算書と領収書を発給可能なメニューが提供される。
【０１５４】
以上、実施形態を挙げて本発明を詳述したが、本発明は必ずしもこれらの実施形態に限定されるものではなく、本発明の技術思想から逸脱しない範囲内において種々に変形実施可能である。
【符号の説明】
【０１５５】
１０  顧客端末、２０  加盟店端末、３０  中央管理サーバ、３１  データベース、３２  コールセンター部、４０  ネットワーク通信網、５０  カード会社サーバ。
【図１】
2009540454.tif 000003
【図２】
2009540454.tif 000004
【図３】
2009540454.tif 000005
【図４】
2009540454.tif 000006
【図５】
2009540454.tif 000007
【図６】
2009540454.tif 000008
【図７】
2009540454.tif 000009
【図８】
2009540454.tif 000010
【図９】
2009540454.tif 000011
【図１０】
2009540454.tif 000012
【図１１】
2009540454.tif 000013
【図１２】
2009540454.tif 000014
【図１３】
2009540454.tif 000015
【図１４】
2009540454.tif 000016
【図１５】
2009540454.tif 000017
【国際調査報告】
2009540454.tif 000018
2009540454.tif 000019